(57)【特許請求の範囲】
【請求項１】
スマート型組立式省エネの安全キャビネットにおいて、
１つ以上が設けられているキャビネット本体と、
下方から風を送りかつ上方から風が出る方式により空調と各々のキャビネット本体を連結する空調主送風管と、
空調主送風管とキャビネット本体との間に設けられている１つ以上の空調分岐風管と、
各々のキャビネット本体の上方に設けられて、不活性の消火ガスが貯留されている消防用ガスボンベと、
消防用ガスボンベとキャビネット本体との間に設けられている吸気管と、
各々のキャビネット本体の下方に設けられている送風装置と、
各々のキャビネット本体の上方に設けられている還気装置と、
各々の還気装置の上方に設けられている防火用排煙弁と、
各々のキャビネット本体の下方に設けられている設備の強、弱電線の引込み口と、
設備の強、弱電線の引込み口を密閉させるに用い、冷気のキャビネット本体外への流失を防止する着脱可能式カバー板と、
前記着脱可能式カバー板に設けられている気体圧力除圧孔と、
キャビネット本体内での定温・定湿と消防・消火を正確に制御する制御システムと、
を含むことを特徴とするスマート型組立式省エネの安全キャビネット。
【請求項２】
前記空調分岐風管とキャビネット本体との連結部には空調ディフューザーが設けられ、前記送風装置は空調ディフューザーの下方に設けられていることを特徴とする請求項１に記載のスマート型組立式省エネの安全キャビネット。
【請求項３】
前記キャビネット本体の底部には、空調分岐送風管に連通される底部吸気溝と、キャビネット本体の両側に設けられかつ底部吸気溝に連結される側部吸気溝と、が設けられており、前記側部吸気溝には、風をキャビネット本体内部に案内する空調送風ブラインドが設けられていることを特徴とする請求項１に記載のスマート型組立式省エネの安全キャビネット。
【請求項４】
前記消防用ガスボンベの側部には、消火弁が設けられていることを特徴とする請求項１に記載のスマート型組立式省エネの安全キャビネット。
【請求項５】
前記制御システムは、温度センサー、湿度センサー、及びスモッグセンサーを含むことを特徴とする請求項１に記載のスマート型組立式省エネの安全キャビネット。
【請求項６】
前記キャビネット本体の外部には、透明な防火用安全熱絶縁ガラス扉が設けられていることを特徴とする請求項１に記載のスマート型組立式省エネの安全キャビネット。
【請求項７】
前記キャビネット本体の外部には、制御システムに連結される温度計と湿度計が更に設けられていることを特徴とする請求項１に記載のスマート型組立式省エネの安全キャビネット。
【請求項８】
温度・湿度の制御、消防・消火、電源安全連動技術システムは、スマート自動制御システムであることを特徴とする請求項１に記載のスマート型組立式省エネの安全キャビネット。
【請求項９】
キャビネット本体は、分離式標準モジュールにより組み合わせる構造になっていることを特徴とする請求項１に記載のスマート型組立式省エネの安全キャビネット。
【発明の詳細な説明】
【技術分野】
【０００１】
本発明はスマート型組立式省エネの安全キャビネットに関する。
【背景技術】
【０００２】
従来、大型データセンターと機器室を建設する際には、キャビネットが配置されている。キャビネット内の設備を放熱させる空調冷却能力と消防・消火ガスなどは、すべて機器室全体空間の面積と体積により計算して配置される。しかし、このようなやり方には、下記のような欠陥が存在する：（1）設備の需要により、機器室の空調装置は、温度と湿度が一定になるように精密に空調を制御する必要があるが、機器室の空間が大きく、冷房能力の伝導消耗が大きくなると、高出力の空調装置が必要になり、電力消費が大きく、省エネ効果がなくなり、エネルギーを浪費する問題がある。（2）機器室全体に対し消火する必要があるため、消防システムの消化ガスの貯留量も多くなり、コストが高くなってしまう。何れか１つのキャビネット設備に火災が発生した場合、煙、温度を感知して警報することになり、この場合、消化ガスは機器室の全体空間内で瞬間的に全ての不活性消火ガスを噴出するため、消防製剤を浪費し、かつ機器室内の全ての設備が停止して廃棄されることになる。このため、ネットワークが中断され、データが失われるなどの予測できない巨大な経済的損失が現れる可能性がある。最悪の場合、例えば、脱出に間に合わなかった従業員が窒息して、死に至る可能性もある。
【発明の概要】
【発明が解決しようとする課題】
【０００３】
本発明が解決しようとする課題は、スマート型組立式省エネの安全キャビネットを提供することである。
【課題を解決するための手段】
【０００４】
本発明は以下の技術方法により実現される。
本発明のスマート型組立式省エネの安全キャビネットは、
１つ以上に設けられているキャビネット本体と、
空調装置とキャビネット本体とを連結し、下部から上部へ風を送る空調主送風管と、
空調主送風管とキャビネット本体との間に設けられている空調分岐風管と、
キャビネット本体の上方に設けられ、不活性消火ガスが貯留されている消防用ガスボンベと、
消防用ガスボンベとキャビネット本体との間に設けられている吸気管と、
キャビネット本体の下方に設けられている送風装置と、
キャビネット本体の上方に設けられている還気装置と、
還気装置の上方に設けられている防火用排煙弁と、
設備の強、弱電線の引込み口と、
着脱可能なカバー板と、
キャビネット本体内での定温・定湿と消防・消火（各キャビネットには独立された電源が設けられて制御される）を正確に制御する制御システムと、を含む。
【０００５】
前記空調分岐風管とキャビネット本体の連結部には、空調ディフューザーが設けられ、前記送風装置は空調ディフューザーの下方に設けられている。
【０００６】
また、前記キャビネット本体の底部には、空調分岐風管に連通する底部吸気溝と、キャビネット本体の両側に設けられかつ底部吸気溝に連結される側部吸気溝と、が設けられていることが好ましい。また、前記側部吸気溝には、風をキャビネット本体内部に案内する空調送風ブラインドが設けられている。
【０００７】
また、前記消防用ガスボンベ側には消防用手動制御消火部が設けられていることが好ましい。
【０００８】
また、前記制御システムは温度センサー、湿度センサー、スモッグセンサーを含むことが好ましい。
【０００９】
また、前記キャビネット本体の外部には、透明の防火用安全熱絶縁ガラス扉が設けられていることが好ましい。
【００１０】
また、前記キャビネット本体の下方には、着脱可能の強、弱電線の引込み口が更に設けられていることが好ましい。
【００１１】
また、前記キャビネット本体の下方には、気体圧力安全除圧孔が更に設けられていることが好ましい。
【００１２】
また、前記キャビネット本体の外部には、制御システムと連結される温度計と湿度計が更に設けられていることが好ましい。
【００１３】
本発明のスマート型組立式省エネの安全キャビネットによれば、設備がキャビネット内に設けられているため、設備が必要とする定温・定湿の作業環境を実現する際にはキャビネット内の空間と体積を基準として考慮することができる。キャビネット外部の機器室空間では、通常の空調装置を使用することができ、これにより、大型データセンターでの空調設備能力のエネルギー消耗が大幅に低減されて、エネルギーを節約することができる。また、独立されたキャビネットの空間と容量を対象として、消化ガスの配置を考慮し、キャビネット外部の機器室空間の消火については、通常の消火器を使用することができるため、消防システムの消火ガスの貯留量が大幅に減少される。最も重要なのは、従来であれば、火災警報が発生したとき、全ての消火ガスが瞬間的に噴出されることで、無駄な浪費が発生し、かつ機器室内の全ての設備が停止して廃棄されることになり、これによりネットワークが中断され、データが失われるなどの予測できない巨大な経済的損失が現れる可能性が存在し、更には、例えば、脱出に間に合わなかった従業員が窒息して、死に至る可能性もあったものの、本発明によれば、これらの問題点を解決することができ、省エネかつ安全である特徴を有する。
【図面の簡単な説明】
【００１４】
【図１】図１は、本発明のスマート型組立式省エネの安全キャビネットの構造を示す立体図である。
【図２】図２は、本発明のスマート型組立式省エネの安全キャビネットが床板に設置された場合（下部から上部への送風方式）を示す図である。
【発明を実施するための形態】
【００１５】
下記に、比較的好ましい実施例と図面を用いて詳細に説明する。
図１と図２に示すように、本発明のスマート型組立式省エネの安全キャビネットは、機器室の床板1上に配置されており、以下を含む：使用設備の配置類型に従って設計・生産され、かつその自体が着脱可能な組立体で、通常の場合、標準のキャビネット内の空間に従って制作され、特殊の場合、設備の類型、外枠サイズに基づいて設計・制作されることができる１つ以上のキャビネット本体2と；空調4とキャビネット本体2を連結する空調主送風管3と；空調主送風管3とキャビネット本体2の間に設けられている１つ以上の空調分岐風管5と；キャビネット本体2の上方に設けられ、かつ不活性消火ガスが貯留されている消防用ガスボンベ6と；消防用ガスボンベ6とキャビネット本体2の間に設けられている吸気管7と；キャビネット本体2の下方に設けられている送風装置8と；キャビネット本体2の上方に設けられている還気装置9と；還気装置9の上方に設けられている防火用排煙弁10と；キャビネット本体2の下方に設けられている設備の強、弱電線の引込み口11と；冷気の流失と火災時の気体の圧力を効率的に防止する着脱可能式カバー板と；を含む。制御システムは、キャビネット本体内での定温・定湿と消防・消火を正確に制御することができる。前記制御システムは、温度センサー、湿度センサー、スモッグセンサー、他の電気機器セルなど（図示せず）を含み、前記キャビネット本体2の外部には、制御システムと接続される温度計と湿度計（図示せず）が更に設けられ、キャビネット本体2の内部の温度と湿度を観察することができる。
【００１６】
ここで、前記空調分岐風管5とキャビネット本体2との連結部には、空調ディフューザー12が設けられ、前記送風装置8は、空調ディフューザー12の下方に設けられている。火災警報が発生したとき、制御システムにより送風機8と還気装置9が自動に閉じられ、消防用ガスボンベ6が不活性ガスを噴出し、キャビネット内での消火ガスの圧力を保証する。これにより、キャビネット本体2の内部で消火が行われているため、一部のキャビネットに火災警報が発生したとき、機器室内部の消火ガスが瞬間的に噴出されて、他のキャビネット設備に厳重な被害を与え、または脱出に間に合っていない従業員が窒息して命に危害を及ぶことを防止することができる。前記消防用ガスボンベ6の側部には、消防用手動・自動消火弁13が設けられているため、該消防用ガスボンベ6は手動または自動に不活性ガスの噴出を制御することができる。前記還気装置9の上方に位置する防火用排煙弁10は火災警報が終わった後、設定された時間内で自動的に作動されて、消火ガスとスモッグを排出することができる。前記キャビネット本体の底部には、空調分岐風管5と連通する底部吸気溝14と、キャビネット本体22の両側に設けられ、かつ底部吸気溝14に連結される側部吸気溝15と、が設けられている。前記側部吸気溝15には、風をキャビネット本体内部へ案内する空調送風ブラインド16が設けられ、空調の風は空調主送風管3を通して空調分岐風管5に送られ、更に底部吸気溝14と側部吸気溝15を経由して、空調用送風ブラインド16を通じてキャビネット内に送られている。キャビネット内の温度と湿度に基づき、かつ制御システムを通じて送風装置8と還気装置9を自動的に調整することで、送風量と還気量が制御される。それにより、キャビネット内の温度と湿度を制御することができる。電線の引込み口のカバー板には２つの自動開き式圧力除去孔が設けられているため、消化ガスが噴出される際に、キャビネット内の圧力が非常に大きくなって危害に至る現象を防止することができる。独立された電源を制御し、ポイント対ポイントで消化することができ、任意のキャビネット設備に火災が発生したとき、本発明のキャビネット設備の作動電源は自動的に断電されて、安全を保障し、他のキャビネットの通常作動に影響を与えない。この際に、該キャビネットの消火システムが起動されて、キャビネット範囲内に対して消火し、大幅にガスの消費量を低減し、消火を正確に実現することができる。最も重要なのは、火災警報が発生したとき、全ての消火ガスが瞬間的に噴出されることで、無駄な浪費が発生しかつ機器室内の全ての設備が停止して廃棄されることを防ぎ、ネットワークが中断されて、データが失われるなどの予測できない巨大な経済的損失が現れる可能性を無くし、更に、例えば、脱出に間に合わなかった従業員が窒息して、死に至る可能性も防止することができ、省エネかつ安全である特徴を有する。
【００１７】
前記キャビネット本体2の外部には、透明の防火用安全熱絶縁ガラス扉が設けられて、設備を保護すると同時に、設備の使用状態を観察することができ、非常に便利である。前記キャビネット本体2の下方には、電線の引込み口が更に設けられている。前記温度・湿度の制御、消防・消化、電源技術の連動システムは、スマート自動制御システムおよび補助的人工制御システムである。キャビネット本体の構造は、分離された標準モジュール化の組立構造であり、修繕・保護が便利で、運搬する際にも便利である。
【００１８】
本発明のスマート型組立式省エネの安全キャビネットは、設備がキャビネット内に設置されているため、設備の必要とされる定温・定湿での作業環境を実現し、キャビネット内の空間と体積によって考慮することができる。また、キャビネット外部の機器室空間に対しては、通常の空調を使用することができ、これにより、大型データセンターの空調設備能力のエネルギー消耗を大幅に低減させ、エネルギーを節約することができる。同時に、独立されたキャビネットの空間と容量により、消火ガスの配置を考慮して、火災による影響範囲を減少し、消火を正確に実現することができる。キャビネット外部の機器室空間の消火に対しては、通常の消火器を使用することができるため、消防システムの消火ガスの貯留量が大幅に減少される。最も重要なのは、火災警報が発生したとき、全ての消火ガスが瞬間的に噴出されることで、無駄な浪費が発生し、かつ機器室内の全ての設備が停止して廃棄される現象を防止することができ、ネットワークが中断されて、データが失われるなどの予測できない巨大な経済的損失を防ぐことができ、更に、例えば、脱出に間に合わなかった従業員が窒息して、死に至る可能性も防止することができ、比較的に高い省エネ効果と安全を保証することができると同時に、消防システムのコストを低減することができる。
【００１９】
前記実施例は、本発明の１つの実施例に過ぎず、本発明の実施と権利範囲を制限することではなく、本発明の特許請求の範囲に記載された構造の制作技術方法により行った同等変化と修飾は、本発明の特許請求の範囲に属するべきである。
【図１】
0005399571.tif 000002
【図２】
0005399571.tif 000003